(57)【要約】【課題】壁パネルの上面の奥という作業し難い箇所における廻縁取付け具の取付けを簡単且つ確実に行うことができる。【解決手段】壁パネル１の上面２の後部から上方に起立片３を突設する。廻縁取付け具７は、係止部４を有する本体部５の背面上端から下方に引掛け片６を垂設して構成する。廻縁取付け具７を壁パネル１の上面２に載置すると共に引掛け片６を起立片３に引掛け、天井パネル８の端部から下方に垂設した垂下片９を壁パネル１の起立片３の背面側に上記引掛け片６を介して重ねる。起立片３と垂下片９とをねじ１０により連結し、壁パネル１と天井パネル８とのなすコーナ部分に廻縁１１を配設すると共に、廻縁１１の背部に設けた被係止部１２を廻縁取付け具７の係止部４に係止する。【選択図】図１
2011111776.tif 000002
【特許請求の範囲】
【請求項１】
壁パネルの上面の後部から上方に起立片を突設し、係止部を有する本体部の背面上端から下方に引掛け片を垂設して廻縁取付け具を構成し、該廻縁取付け具を壁パネルの上面に載置すると共に引掛け片を起立片に引掛け、天井パネルの端部から下方に垂設した垂下片を壁パネルの起立片の背面側に上記引掛け片を介して重ね、上記起立片と垂下片とをねじにより連結し、壁パネルと天井パネルとのなすコーナ部分に廻縁を配設すると共に、廻縁の背部に設けた被係止部を廻縁取付け具の係止部に係止して成ることを特徴とする壁パネルと天井パネルとのなすコーナ部分への廻縁の取付け構造。
【発明の詳細な説明】
【技術分野】
【０００１】
本発明は、壁パネルと天井パネルとのなすコーナ部分に廻縁を取付けるための技術に関するものである。
【背景技術】
【０００２】
従来から、ユニットバスにおいて、壁パネルと天井パネルとのなすコーナ部分に廻縁を取付ける従来例として特許文献１が知られている。
【０００３】
この特許文献１に示される従来例は、図８、図９に示されるように、係止部４及びねじ挿通孔１５を有する本体部５の背面に突起３０を突設した廻縁取付け具７’を用いて廻縁１１を取付けるようにしている。壁パネル１は上面２の後部から上方に起立片３を突設し、起立片３に嵌め込み孔３１と、ねじ挿入孔１３を形成し、この壁パネル１を建て込んだ後、起立片３に設けた嵌め込み孔３１に廻縁取付け具７’の背面に突設した突起３０を嵌め込んで、廻縁取付け具７のねじ挿通孔１５とねじ挿入孔１３とを連通させ、このようにして壁パネル１の上面２に廻縁取付け具７’を位置決め保持した後、天井パネル８の端部から下方に垂設した垂下片９を壁パネル１の起立片３の背面側に上記引掛け片を介して重ね、次に、ねじ挿通孔１５から挿入したねじ１０をねじ挿入孔１３を挿通して垂下片９に螺着することで、廻縁取付け具７’と起立片３と垂下片９を連結し、その後、壁パネルと天井パネル８とのなすコーナ部分に廻縁１１を配設すると共に、廻縁１１の背部に設けた被係止部１２を廻縁取付け具７’の係止部４に係止することで、廻縁１１を取付けるようにしている。
【０００４】
ところが、上記従来例にあっては、起立片３に設けた嵌め込み孔３１に廻縁取付け具７’の背面に突設した突起３０を嵌め込んで廻縁取付け具７’を壁パネルの上面部の所定位置に仮保持するので、天井パネル８を施工する際、突起３０が嵌め込み孔３１から抜けて廻縁取付け具７’が落下するおそれがあり、このため、廻縁取付け具７’が落下しないように天井パネル８を施工する必要があって、施工が煩わしいという問題がある。
【０００５】
しかも、壁パネル１の上面の奥という作業し難い箇所で、突起３０を嵌め込み孔３１に嵌め込まなければならないので、この点でも作業性が悪いという問題があり、また、突起３０を嵌め込み孔３１に嵌め込んで仮保持するので、仮保持状態で廻縁取付け具７’が浮いたり、傾いたりし、これにより廻縁取付け具７’の係止部４の位置が上下にずれたり、傾いたりしてた状態で、ねじ１０により本固定されてしますおそれがある。このため、廻縁１１の被係止部１２との係止が正しくできないおそれがある。
【０００６】
また、起立片３に設けた嵌め込み孔３１とねじ挿入孔１３との位置関係のばらつきや、廻縁取付け具７’のねじ挿通孔１５と突起３０との位置関係のばらつきにより、廻縁取付け具７’のねじ挿通孔１５とねじ挿入孔１３とが正しい位置関係で連通しない状態が生じるおそれがある。更に、壁パネルの起立片３に形成した嵌め込み孔３１を設けた箇所でなければ廻縁取付け具７’を取付けることができないという制約がある。
【先行技術文献】
【特許文献】
【０００７】
【特許文献１】特開２００８−２９１６１３号公報
【発明の概要】
【発明が解決しようとする課題】
【０００８】
本発明は上記の従来例の問題点に鑑みて発明したものであって、その目的とするところは、廻縁を取付けるための廻縁取付け具を、壁パネルの上面の奥という作業し難い箇所に簡単且つ確実に取付けこととができる壁パネルと天井パネルとのなすコーナ部分に廻縁を取付ける構造を提供することにある。
【課題を解決するための手段】
【０００９】
上記課題を解決するために、本発明は、以下のような構成になっている。
【００１０】
本発明の壁パネルと天井パネルとのなすコーナ部分への廻縁の取付け構造は、壁パネル１の上面２の後部から上方に起立片３を突設し、係止部４を有する本体部５の背面上端から下方に引掛け片６を垂設して廻縁取付け具７を構成し、該廻縁取付け具７を壁パネル１の上面２に載置すると共に引掛け片６を起立片３に引掛け、天井パネル８の端部から下方に垂設した垂下片９を壁パネル１の起立片３の背面側に上記引掛け片６を介して重ね、上記起立片３と垂下片９とをねじ１０により連結し、壁パネル１と天井パネル８とのなすコーナ部分に廻縁１１を配設すると共に、廻縁１１の背部に設けた被係止部１２を廻縁取付け具７の係止部４に係止して成ることを特徴とするものである。
【００１１】
このように構成したので、壁パネル１の起立片３に廻縁取付け具７の引掛け片６を引っ掛けるので、天井パネル８を施工する際、廻縁取付け具７が壁パネル１の起立片３から落下することがない。また、壁パネル１の上面の奥側という作業性が悪く、目で確認し難い箇所において、引掛け片６を起立片３に引っ掛けるだけでよいので、作業性が向上する。また、廻縁取付け具７は、起立片３に引掛けられて前方への抜けが防止されると共に天井パネル８の端部下面で上方への浮き上がりが防止されるので、廻縁１１を壁パネル１と天井パネル８とのなすコーナ部分に正しく取付けることができる。
【００１２】
また、本発明においては、引掛け片６を起立片３に引っ掛け、天井パネル８の下面端部を廻縁取付け具７に載置した状態で、廻縁取付け具７を、従来と同様にねじ１０を用いて固定することも可能であるが、ねじ１０で固定しなくても、上下方向、前後方向に移動しない。このため、ねじ１０で固定しない場合は、起立片３の横方向の任意の位置に引掛け片６を引っ掛けることが可能で、廻縁取付け具７の取付け位置を特定しないで現場に応じて廻縁１１を取付けることもできる。
【発明の効果】
【００１３】
本発明は、上記のように構成したので、廻縁を取付けるための廻縁取付け具を、壁パネルの上面の奥という作業し難い箇所において、天井パネルの施工中に廻縁取付け具が落下するのを防止できると共に、従来のような位置合わせの煩わしさがなく、廻縁取付け具を簡単且つ確実に取付けて廻縁を簡単且つ確実に取付けることができる。
【図面の簡単な説明】
【００１４】
【図１】本発明の断面図である。
【図２】同上の分解斜視図である。
【図３】同上の廻縁取付け具の引掛け片を壁パネルの起立片に引掛けた状態の断面図である。
【図４】同上の天井パネルの垂下片を引掛け片を介して起立片に重ねた状態の断面図である。
【図５】同上の起立片と垂下片とをねじにより固着している部分の断面図である。
【図６】同上の廻縁取付け具と起立片と垂下片とをねじにより固着する場合の断面図である。
【図７】同上の廻縁取付け具をねじで取付けない場合の断面図である。
【図８】従来例の断面図である。
【図９】従来例の一部省略分解斜視図である。
【発明を実施するための形態】
【００１５】
以下、本発明を図１乃至図７に示す実施形態に基づいて説明する。
【００１６】
浴室ユニットは、床パン（図示せず）の外周端部に複数の壁パネル１を建て込み、その後、天井パネル８を施工することで構成される。
【００１７】
図２に示すように、壁パネル１は壁面板１ａの上端を後方に水平に突出して上面２を形成し、該上面２の後端から上方に起立片３を突設している。この起立片３には１乃至複数のねじ挿入孔１３が穿孔してある。また、壁面板１ａの裏面には図１に示すように、断熱材１ｂが積層してある。
【００１８】
また、天井パネル８は、図１、図２に示すように、天井面板８ａの側端部から下方に垂下片９が一体に垂設してあり、天井面板８ａの裏面には断熱材８ｂが積層してある。
【００１９】
廻縁取付け具７は、図１、図２に示すように、縦板状をした本体部５の中央部に固定部１４を設け、本体部５の前面両側部から固定部１４よりも前方に突出する係止部４を突設し、また、本体部５の背面上端から下方に引掛け片６を垂設して構成してある。
【００２０】
固定部１４にはねじ挿通孔１５が穿孔してあり、引掛け片６の上記ねじ挿通孔１５と対向する位置に孔１６が穿孔してある。
【００２１】
本体部５の上面及び下面にはそれぞれリブ１７が突設してある。
【００２２】
係止部４は、上面が下り傾斜し且つ下面が上り傾斜した嵌め込み突部４ａと、嵌め込み突部４ａの突出基部の係止段面４ｂとを備えている。
【００２３】
廻縁１１は長尺もので、図１、図２に示すように、硬質材料よりなる硬質の廻縁本体１８と、該硬質の廻縁本体１８の上下面に突設された軟質材料よりなる軟質のヒレ片１９とで構成してあり、例えば、合成樹脂の二色成形により一体に形成してある。
【００２４】
硬質の廻縁本体１８の背面部には被係止部１２が設けてある。被係止部１２は、上記断面コ字状をした嵌め込み凹部１２ａと、嵌め込み凹部１２ａの背方開口部の上下両端に設けた上下一対の爪部１２ｂとで構成してある。
【００２５】
すでに述べたように、浴室ユニットは、床パン（図示せず）の外周端部に複数の壁パネル１を建て込み、その後、天井パネル８を施工するのであるが、本発明においては、壁パネル１を建て込んだ状態で、上記廻縁取付け具７を図３に示すように、壁パネル１の上面２に載置すると共に引掛け片６を起立片３に引掛ける。
【００２６】
このように、引掛け片６を起立片３に引掛けることで廻縁取付け具７を壁パネル１の上面２に仮止めした状態で、図４に示すように、天井パネル８の端部から下方に垂設した垂下片９を壁パネル１の起立片３の背面側に上記引掛け片６を介して重ねる。
【００２７】
この天井パネル８を施工する際、引掛け片６を起立片３に引掛けてあり、施工中、天井パネル８や作業者の手が廻縁取付け具７に当たったり、あるいは、振動が加わったりしても、廻縁取付け具７が壁パネル１の上面よりこぼれ落ちず、廻縁取付け具７が壁パネル１の上面において前後方向の位置が規制された状態で天井パネル８の施工ができ、天井パネル８の施工が容易に行える。
【００２８】
また、天井パネル８の垂下片９を壁パネル１の起立片３の背面側に上記引掛け片６を介して重ねた際、天井パネル８の端部下面が、起立片３の上端及び廻縁取付け具７の上面のリブ１７に載置され、これにより、廻縁取付け具７の上方への浮き上がりが防止され、上下方向の位置決めがなされる。
【００２９】
上記のように、廻縁取付け具７を介在した状態で天井パネル８を壁パネル１の起立片３の上端に載置した状態で、図５に示すように、起立片３に設けたねじ挿入孔１３からねじ１０を挿入し、垂下片９にねじ込んで螺着することで、天井パネル８の垂下片９と壁パネル１の起立片３とを連結する。
【００３０】
このように、垂下片９と起立片３とをねじ１０で螺着して固着することで、引掛け片６が垂下片９と起立片３とで挟持されることになる。
【００３１】
ここで、垂下片９と起立片３とのねじ１０による固着は、廻縁取付け具７を介在していない部分で行うが、廻縁取付け具７の取付け部分においても、図６に示すように、ねじ１０により垂下片９と起立片３とをねじ１０で連結可能である。
【００３２】
すなわち、必要に応じて廻縁取付け具７の固定部１４に設けたねじ挿通孔１５からねじ１０を挿入して起立片３のねじ挿入孔１３、引掛け片６の孔１６を通し、垂下片９にねじ込んで螺着することで、廻縁取付け具７と垂下片９と起立片３とを連結する。この場合は、廻縁取付け具７の引掛け片６を起立片３に引掛けて仮止めする際、固定部１４に設けたねじ挿通孔１５が起立片３のねじ挿入孔１３と連通するように位置合わせをしておく。
【００３３】
一方、廻縁取付け具７をねじ１０で直接固定しない場合は、ねじ挿通孔１５とねじ挿入孔１３との位置合せが必要でないので、起立片３の横方向の任意の位置に引掛け片６を引っ掛けることができ、廻縁取付け具７の取付け位置を特定しないで現場に応じて廻縁１１を取付けることもできる。図７には廻縁取付け具７をねじ１０で直接固定しない場合の断面図が示してある。
【００３４】
このように、複数の廻縁取付け具７を取付けるに当たり、ある廻縁取付け具７はねじ１０によって取付け、別の廻縁取付け具７はねじ１０を用いない取付けによるというようにねじ１０をよる取付けとねじ１０を用いない取付けとを併用したり、あるいは、ねじ１０による取付けのみで取付けたり、ねじ１０を用いない取付けのみで取付けたりするのを、現場の状況に応じて選択することができる。
【００３５】
上記のようにして、廻縁取付け具７、天井パネル８を取付けた後、壁パネル１と天井パネル８とのなすコーナ部分に廻縁１１を配設し、廻縁１１の背部に設けた被係止部１２を廻縁取付け具７の係止部４に係止する。
【００３６】
すなわち、廻縁１１の背部に設けた被係止部１２を天井パネル８の下面の端部と、壁パネル１の上面との間に嵌め込み、被係止部１２の嵌め込み凹部１２ａを、係止部４の嵌め込み突部４ａに嵌め込み係止すると共に、爪部１２ｂを係止段面４ｂに係止する。この場合、廻縁本体１８の上下面に突設された軟質のヒレ片１９が弾性変形してそれぞれ天井パネル８の下面、壁パネル１の上面及び前面上端部に密接する。
【００３７】
このように廻縁１１を壁パネル１と天井パネル８とのなすコーナ部分に配設して取付けることで、廻縁１１は長手方向の複数個所において廻縁取付け具７に確実に係止され、蛇行することなく、壁パネル１と天井パネル８とのなすコーナ部分の正確な位置に確実に取付けられ、コーナ部分が廻縁１１により封水がなされる。
【符号の説明】
【００３８】
１  壁パネル
２  上面
３  起立片
４  係止部
５  本体部
６  引掛け片
７  廻縁取付け具
８  天井パネル
９  垂下片
１０  ねじ
１１  廻縁
１２  被係止部
【図１】
2011111776.tif 000003
【図２】
2011111776.tif 000004
【図３】
2011111776.tif 000005
【図４】
2011111776.tif 000006
【図５】
2011111776.tif 000007
【図６】
2011111776.tif 000008
【図７】
2011111776.tif 000009
【図８】
2011111776.tif 000010
【図９】
2011111776.tif 000011